(57)【要約】【課題】表示盤の音響警報により非常放送の聞き取りが妨げられないようにする。【解決手段】非常放送設備８にマイクの使用中にオンするマイク検出信号を外部に出力するマイク検出部１１ａを設ける。防災受信機１に検知器の発報受信時に表示盤７に音響警報の起動情報を送信し、非常放送設備からのマイク検出信号を受信した時に表示盤に音響警報の停止情報を送信し、マイク検出信号が受信されなくなった時に表示盤７に音響警報の停止解除情報を送信する表示盤管理部２０を設ける。更に、表示盤７に、防災受信機１から音響警報の起動情報を受信した時に音響警報を鳴動出力し、音響警報の停止情報を受信した時に音響警報の鳴動を停止し、音響警報の停止解除情報を受信した時に音響警報の鳴動を再開する音響制御部２７を設ける。【選択図】          図１
2004310629.tif 000002
【特許請求の範囲】
【請求項１】
検知器により火災、ガス漏れなどの異常を監視する防災受信機と、前記防災受信機からの伝送路に接続された表示盤と、マイクを使用して非常放送を行う非常放送設備とを備えた防災監視システムに於いて、
前記非常放送設備に、マイクの使用中にオンするマイク検出信号を外部に出力するマイク検出部を設け、
前記防災受信機に、前記検知器の発報受信時に前記表示盤に音響警報の起動情報を送信し、前記非常放送設備からのマイク検出信号を受信した時に前記表示盤に音響警報の停止情報を送信し、前記マイク検出信号が受信されなくなった時に前記表示盤に音響警報の停止解除情報を送信する表示盤管理部を設け、
前記表示盤に、前記防災受信機から音響警報の起動情報を受信した時に音響警報を鳴動出力し、前記音響警報の停止情報を受信した時に音響警報の鳴動を停止し、前記音響警報の停止解除情報を受信した時に音響警報の鳴動を再開する音響制御部を設けたことを特徴とする防災監視システム。
【請求項２】
検知器により火災、ガス漏れ等の異常を監視する防災受信機と、前記防災受信機からの伝送路に接続された表示盤と、前記防災受信機から火災情報を受信した時に少なくとも火災発生階と直上階に対し非常放送を行う非常放送設備とを備えた防災監視システムに於いて、
前記非常放送設備に、非常放送中にあることを検出して放送中検出信号を外部に出力する放送検出部を設け、
前記防災受信機に、前記検知器の発報受信時に前記表示盤に音響警報の起動情報を送信し、前記非常放送設備からの放送中検出信号を受信した時に前記表示盤に音響警報の停止情報を送信し、前記放送中検出信号が受信されなくなった時に前記表示盤に音響警報の停止解除情報を送信する表示盤管理部を設け、
前記表示盤に、前記防災受信機から音響警報の起動情報を受信した時に音響警報を鳴動出力し、前記音響警報の停止情報を受信した時に音響警報の鳴動を停止し、前記音響警報の停止解除情報を受信した時に音響警報の鳴動を再開する音響制御部を設けたことを特徴とする防災監視システム。
【請求項３】
分散配置された火災、ガス漏れなどの異常を監視する複数の中継盤と、前記複数の中継盤を伝送路を介して接続して集中監視する受信盤、前記中継盤からの伝送路に接続された表示盤と、マイクを使用して非常放送を行い、及び又は、前記受信盤から火災情報を受信した時に少なくとも火災発生階と直上階に対し非常放送を行う非常放送設備とを備えた防災監視システムに於いて、
前記非常放送設備に、マイクの使用中にオンするマイク検出信号を外部に出力するマイク検出部、及び又は、
非常放送中にあることを検出して放送中検出信号を外部に出力する放送検出部を設け、
前記受信盤に、前記非常放送設備からのマイク検出信号又は前記非常放送設備からの放送中検出信号を、異常を検出している中継盤に送信する移報通信部を設け、
前記中継盤に、前記受信盤からマイク検出信号又は放送中検出信号を受信した時に前記表示盤に音響警報の停止情報を送信し、前記マイク検出信号及び放送中検出信号が受信されなくなった時に前記表示盤に音響警報の停止解除情報を送信する表示盤管理部を設け、
前記表示盤に、前記中継盤から音響警報の起動情報を受信した時に音響警報を鳴動出力し、前記音響警報の停止情報を受信した時に音響警報の鳴動を停止し、前記音響警報の停止解除情報を受信した時に音響警報の鳴動を再開する音響制御部を設けたことを特徴とする防災監視システム。
【発明の詳細な説明】
【０００１】
【発明の属する技術分野】
本発明は、管理人室などに設置した受信機と同じ警報表示と警報鳴動をフロア等に設置した表示盤で行い、更にマイクによる非常放送あるいは火災連動で火災発生階と直上階に自動的に非常放送を行う非常放送設備を備えた防災監視システムに関する。
【０００２】
【従来の技術】
従来、火災、ガス漏れ等の異常を監視する防災監視システムにあっては、例えば受信機から引き出された伝送路に、伝送機能を備えアドレスを設定した火災感知器やガス漏れ検知器を接続して集中監視している。また管理人室などに設置された受信機に対し、各階のフロア等に副受信機として機能する表示盤を設置し、受信機で火災発報を受信して警報した際には、表示盤に警報表示に必要な情報を送って受信機と同じ火災発報に対する警報表示と音響警報の鳴動を行っている。
【０００３】
一方、火災受信機とは別に、管理人室には非常放送設備が設置されており、火災発生時には必要に応じてマイク入力をオンとし、火災に対する消防への通報状況や避難誘導について放送できるようにしている。
【０００４】
更に、非常放送設備には火災発生時に自動的に非常放送を行う機能が設けられる場合もある。非常放送設備は、火災受信機の火災受信に連動して動作し、例えば火災発生階と直上階に対し火災発生を通知し避難誘導を促す所定の音声メッセージを放送する。
【０００５】
【特許文献１】
特開平８−２８７３７１号公報
【特許文献２】
特開平８−２９３０７８号公報
【特許文献３】
特開平１０−３３４３８３号公報
【０００６】
【発明が解決しようとする課題】
しかしながら、このような従来の防災監視システムにあっては、例えば非常放送設備から非常放送のためのマイクをオンとしたことを示す入力が受信機にあると、受信機で制御している地区音響装置の鳴動を停止しているが、各階のフロア等に設置されている表示盤による警報音響は鳴動したままであり、非常放送で話している内容を聞き取りにくい問題がある。
【０００７】
また受信機や表示盤には、表示盤の音響鳴動を停止させる音響停止スイッチを設けているが、主に点検時の試験発報による音響鳴動を停止するためのものであり、非常放送の際に音響停止スイッチを操作して音響警報を停止するような使い方は予定しておらず、非常放送を聞きとるために音響停止スイッチを操作するようなことは行われない。
【０００８】
更に非常放送設備が火災連動により火災発生階と直上階に非常放送を行った場合にも、それぞれの階のフロアに設置している表示盤の音響警報により非常放送が聞き取りづらいという同様の問題を生じている。
【０００９】
本発明は、表示盤の音響警報により非常放送の聞き取りが妨げられないようにした防災監視システムを提供することを目的とする。
【００１０】
【課題を解決するための手段】
この目的を達成するため本発明は次のように構成する。
【００１１】
まず本発明は、検知器により火災、ガス漏れなどの異常を監視する防災受信機と、防災受信機からの伝送路に接続された表示盤と、マイクを使用して非常放送を行う非常放送設備とを備えた防災監視システムを対象とする。
【００１２】
この防災監視システムの場合、本発明は、非常放送設備に、マイクの使用中にオンするマイク検出信号を外部に出力するマイク検出部を設け、防災受信機に、検知器の発報受信時に表示盤に音響警報の起動情報を送信し、非常放送設備からのマイク検出信号を受信した時に表示盤に音響警報の停止情報を送信し、マイク検出信号が受信されなくなった時に表示盤に音響警報の停止解除情報を送信する表示盤管理部を設け、更に、表示盤に、防災受信機から音響警報の起動情報を受信した時に音響警報を鳴動出力し、音響警報の停止情報を受信した時に音響警報の鳴動を停止し、音響警報の停止解除情報を受信した時に音響警報の鳴動を再開する音響制御部を設けたことを特徴とする。
【００１３】
このため各階のフロア等に設置した表示盤が音響警報を出している状態で、マイクを使用して非常放送が行われると、非常放送のマイク入力をオンしている間、表示盤の音響警報が自動的に停止し、放送内容を明瞭に聞き取ることができる。またマイク入力をオフすれば、表示盤の音響警報は再開され、音響停止スイッチを操作した場合のような復旧忘れの問題は起きない。
【００１４】
本発明の別の形態にあっては、検知器により火災、ガス漏れ等の異常を監視する防災受信機と、防災受信機からの伝送路に接続された表示盤と、防災受信機から火災情報を受信した時に少なくとも火災発生階と直上階に対し非常放送を行う非常放送設備とを備えた防災監視システムを対象とする。
【００１５】
この防災監視システムの場合、本発明は、非常放送設備に、非常放送中にあることを検出して放送中検出信号を外部に出力する放送検出部を設け、防災受信機に、検知器の発報受信時に表示盤に音響警報の起動情報を送信し、非常放送設備からの放送中検出信号を受信した時に表示盤に音響警報の停止情報を送信し、放送中検出信号が受信されなくなった時に表示盤に音響警報の停止解除情報を送信する表示盤管理部を設け、更に、表示盤に、防災受信機から音響警報の起動情報を受信した時に音響警報を鳴動出力し、音響警報の停止情報を受信した時に音響警報の鳴動を停止し、前記音響警報の停止解除情報を受信した時に音響警報の鳴動を再開する音響制御部を設けたことを特徴とする。
【００１６】
このため各階のフロア等に設置した表示盤が音響警報を出している状態で、火災発生階及び直上階で非常放送が行われると、非常放送の間、表示盤の音響警報が自動的に停止し、放送内容を明瞭に聞き取ることができる。
【００１７】
本発明の別の形態は、分散配置された火災、ガス漏れなどの異常を監視する複数の中継盤と、複数の中継盤を伝送路を介して接続して集中監視する受信盤と、中継盤からの伝送路に接続された表示盤と、マイクを使用して非常放送を行う非常放送設備と、受信盤から火災情報を受信した時に少なくとも火災発生階と直上階に対し非常放送を行う非常放送設備とを備えた防災監視システムを対象とする。
【００１８】
この防災監視システムの場合、本発明は、非常放送設備に、マイクの使用中にオンするマイク検出信号を外部に出力するマイク検出部や非常放送中にあることを検出して放送中検出信号を外部に出力する放送検出部を設け、受信盤に、非常放送設備からのマイク検出信号又は放送中検出信号を、異常を検出している中継盤に送信する移報通信部を設け、中継盤に、受信盤からマイク検出信号又は放送中検出信号を受信した時に表示盤に音響警報の停止情報を送信し、マイク検出信号及び放送中検出信号が受信されなくなった時に表示盤に音響警報の停止解除情報を送信する表示盤管理部を設け、更に、表示盤に、中継盤から音響警報の起動情報を受信した時に音響警報を鳴動出力し、音響警報の停止情報を受信した時に音響警報の鳴動を停止し、音響警報の停止解除情報を受信した時に音響警報の鳴動を再開する音響制御部を設けたことを特徴とする。
【００１９】
このため分散配置した中継盤に対応して各階のフロア等に設置している表示盤が音響警報を出している状態で、マイクによる非常放送或いは火災発生階及び直上階で非常放送が行われると、非常放送の間、表示盤の音響警報が自動的に停止し、放送内容を明瞭に聞き取ることができる。
【００２０】
【発明の実施の形態】
図１は本発明の防災監視システムの第１実施形態を示したブロック図である。
【００２１】
図１において、この防災監視システムは、管理人室などに防災受信機１を設置しており、防災受信機１から引き出された伝送路２に情報機能を備えた火災感知器やガス漏れ検知器などの検知器３を複数接続している。検知器３のそれぞれには予め固有のアドレスが設定されており、防災受信機１は通常監視状態にあっては検知器アドレスを順次指定したポーリングコマンドの喪失により検知器３の状態を監視している。
【００２２】
異常検知器３で火災又はガス漏れを検知すると、ポーリングコマンドに対する応答タイミングで応答データを破壊する形で非常割り込みが行われ、この非常割り込みを受けて防災受信機１は検知器３側の異常発報を認識し、アドレス検索により発報していた検知器を特定し、特定した検知器アドレスによる呼び出しで検知情報を修正して火災又はガス漏れの判断を行う。
【００２３】
防災受信機１からは、例えば各階ごとに制御線４が引き出され、それぞれに地区音響装置５を接続している。地区音響装置５はスピーカであり、防災受信機１で火災もしくはガス漏れを判断した際に、地区ベルとしての起動機能をもつ音響警報を出すようにしている。
【００２４】
尚、地区音響装置５についても、アドレス設定が行われ、且つ伝送機能を備えた中継器により、異常検出器３と同様に伝送路２に接続し、防災受信機１からのアドレスを指定した制御コマンドを受信して地区音響警報を鳴動させるようにしても良い。
【００２５】
更に防災受信機１からは伝送路６が引き出され、伝送路６に例えば各階のフロアごとに設置して副受信機として機能する表示盤７を接続している。防災受信機１は火災又はガス漏れの異常を判断をすると、受信機自身で主音響警報や火災又はガス漏れの警報装置を行うが、これに加えて警報装置及び音響出力に関する情報を伝送路６により表示盤７に伝送し、表示盤７で火災又はガス漏れの警報表示と音声メッセージもしくはブザー音などによる音響警報を出すようにしている。
【００２６】
このような防災受信機１による異常監視システムに併設して、この実施形態にあっては非常放送設備８を設けている。非常放送設備８は音声信号線９にスピーカ１０を接続し、スピーカ１０は各階のフロアごとに１又は複数設置されている。
【００２７】
非常放送設備８に対してはマイク１１が接続されており、非常放送を行う際にはマイク１１のスイッチをオンにし、マイク１１を使用して管理者が非常放送を行うことができる。この非常放送設備８は防災受信機１側とは独立した設備として設けられており、防災受信機１による火災又はガス漏れなどの判断時における非常放送以外に日常的な管理人室からの放送にも利用される。
【００２８】
本発明にあっては非常放送設備８においてマイク１１を非常放送のためにオンしたことを検出するマイク検出部１１ａを設けており、マイク検出部１１ａからのマイク１１のオンに基づくマイク検出信号を防災受信機１に入力している。防災受信機１は火災又はガス漏れにより警報中に非常放送設備８からのマイク検出信号を受信すると、表示盤７に対し音響警報の停止を指示する。
【００２９】
図２は図１の実施形態における防災受信機１と表示盤７の機能構成を示したブロック図である。図２において、防災受信機１には受信機用ＭＰＵ１２、伝送制御部１３、シリアル通信部１５、表示部１６、操作部１７、入力回路１８を備えている。
【００３０】
受信機用ＭＰＵ１２にはプログラム制御により実現される監視制御部１９と表示盤管理部２０が設けられている。監視制御部１９は伝送制御部１３による端末アドレスの指定で伝送路２に接続された火災又はガス漏れ検知器機能を備えた検知器３に対し、ポーリングコマンドを送信してステータス情報を収集しており、もしステータス情報から障害を認識すると表示部１６に検知器の障害表示を行う。
【００３１】
またポーリングコマンドに対し応答するステータス情報を破壊する形（電流モードによるステータ応答期間の間のオール１とする電流を流してステータスビットをオール１とする）で、いずれかの検知器３より火災又はガス漏れに基づく割込みを受けると、アドレス検索を実行し異常検知した検知器を特定し、その異常検知器のアドレスを指定した情報収集コマンドにより異常検出状態を取得し火災又はガス漏れの判断を行う。
【００３２】
例えば火災を判断した場合には表示部１６に火災警報表示を行うとともに図示しないスピーカから主音響警報を出力し、更に地区音響制御部１４の動作で制御線４に接続している地区音響装置５から地区音響を出力させる。
【００３３】
表示盤管理部２０は監視制御部１９で火災又はガス漏れが判断された時の判断出力を受け、シリアル通信部１５により火災又はガス漏れの警報表示及び音響警報の起動情報を含む電文フォーマットを作成して表示盤７に送信する。
【００３４】
このシリアル通信部１５によるシリアル通信としては、例えばＲＳ−４８５やＲＳ−４２２などが使用される。またシリアル通信方法としては伝送路６に接続している全ての表示盤７に対し共通に電文フォーマットを送信するブロードキャストであっても良いし、特定の表示盤７を指定して通信するユニキャストであっても良い。
【００３５】
表示盤管理部２０は火災、ガス漏れの異常判断に基づいて、表示盤７に警報装置及び音響警報起動の電文フォーマットを送信した後、入力回路１８で図１の非常放送設備８からマイク検出信号を受信すると、音響警報の停止情報を含む電文フォーマットを伝送路６より表示盤７に送信する。
【００３６】
またマイク検出信号が入力回路１８に入力した後に非常放送設備８でマイクオフとなり、マイク検出信号が受信されなくなると表示盤管理部２０は音響警報の停止情報を含む電文フォーマットを伝送路６より表示盤７に送信する。
【００３７】
表示盤７には表示盤用ＭＰＵ２１、表示部２２、音響警報装置２３、シリアル通信部２４及び音響停止スイッチ２５が設けられている。また表示盤用ＭＰＵ２１にはプログラム制御により実現される表示制御部２６と音響制御部２７が設けられている。
【００３８】
表示制御部２６はシリアル通信部２４で受信した防災受信機１からの電文フォーマットに含まれる火災又はガス漏れの警報表示情報を解読し、表示部２２に火災又はガス漏れの警報表示、具体的には異常発生地区と異常種別の表示を行う。
【００３９】
音響制御部２７はシリアル通信部２４で受信される防災受信機１からの電文フォーマットに含まれる次の情報を解読して処理を行う。
（１）音響警報の起動情報
（２）音響警報の停止情報
（３）音響警報の停止解除情報
即ち、防災受信機１で火災又はガス漏れを判断した際に、最初に受信される電文フォーマットから音響警報の起動情報を解読し、解読結果を例えば表示盤用ＭＰＵ２１に設けられているフラッシュメモリなどの、メモリの音響制御部２７用の制御領域に書き込み、これに基づいて音響警報装置２３より音声メッセージ或いはブザー音の音響出力を行う。
【００４０】
電文ファーマットの音響警報の起動情報により、音響警報装置２３を鳴動した後、防災受信機１よりマイク検出信号に基づく電文フォーマットの受信で音響警報の停止情報を受信すると、メモリに書き込んでいる音響警報の起動情報を停止情報に書き換え、音響警報装置２３による音響出力を停止する。
【００４１】
その後、防災受信機１からマイク検出信号が受信されなくなった事に電文フォーマットにより音響警報の停止解除情報が受信されると、メモリの音響警報の停止情報を音響起動情報に書き換え、音響警報装置２３による音響出力を再開させる。
【００４２】
図３は図２の火災受信機の受信機用ＭＰＵ１２による図１の防災監視システムの主に受信機における処理手順を示したフローチャートであり、異常監視として火災監視を例にとっている。
【００４３】
図３において、ステップＳ１で火災監視処理を行っており、ステップＳ２で火災発報を受信するとステップＳ３で火災の確定の有無を判断し、火災が確定すればステップＳ４で防災受信機１自身において火災表示と主音響鳴動を行い、更にステップＳ５で地区音響装置５による地区音響の鳴動を行う。
【００４４】
続いてステップＳ６で表示盤７に対し、シリアル通信により火災警報表示と音響警報の起動情報を含む電文ファーマットにより火災情報を送信する。これによって表示盤７側においては防災受信機１と火災警報表示に加え、設置フロアに対し音声メッセージ或いはブザー音などにより音響警報を行う。
【００４５】
このような火災時に、例えば図１の非常放送設備８を使用して管理人が火災に対する消防への通報状況や避難誘導に関する非常放送を行う場合には、非常放送設備８に設けられているマイクスイッチ（図示せず）をオンし、これによってマイク１１を有効として非常放送をスピーカ１０から流すことができる。
【００４６】
この非常放送設備８におけるマイク１１のスイッチオンに伴い、マイク検出部１１ａがマイク検出信号を防災受信機１に出力する。このため図３のステップＳ７で非常放送マイク入力オンが判別され、ステップＳ８で表示盤７に対し音響警報の停止情報を含む電文フォーマットを送信する。このため各フロアに対し非常放送設備８のマイク１１を使って非常放送が流れている間、各階のフロアに設置している表示盤７の音響警報装置２３からの音響出力は停止することになり、非常放送を明瞭に聞くことができる。
【００４７】
非常放送が済むと非常放送設備８のマイクスイッチをオフすることから、防災受信機１に対するマイク検出信号が受信されなくなり、これを図３のステップＳ９で非常放送マイク入力オフと判別し、ステップＳ１０で表示盤７に対し音響停止の解除情報を含む電文フォーマットを送信する。
【００４８】
これにより一旦非常放送に伴って停止した表示盤７の音響警報装置２３は再び音響出力を出すようになる。図３のステップＳ７〜Ｓ１０の処理はステップＳ１１で火災が鎮火して防災受信機１における復旧処理が行われるまで繰り返される。火災復旧が行われると通常の監視状態に入る。
【００４９】
図４は本発明による防災監視システムの第２実施形態を示したシステム構成のブロック図である。この実施形態にあっては防災受信機と非常放送設備を備えたシステムを対象としている。
【００５０】
図４において、防災受信機１は図１の実施形態と同じものであり、伝送路２に火災又はガス漏れを検知する伝送機能を備えた検知器３を接続し、制御線４には地区ベルとして機能する地区音響装置５を接続し、更に伝送路６には副受信機として機能する表示盤７を各階のフロアごとに設置している。
【００５１】
このような防災受信機１側に対し、この第２実施形態にあっては非常放送設備２８を設けている。非常放送設備２８からは各階に引き出された音声信号線２９に非常放送用スピーカ３０を接続している。
【００５２】
非常放送設備２８は、防災受信機１で火災を判断した際の火災発生階の情報を受信し、火災発生階及び直上階の非常放送用スピーカ３０に対し、予め定めた非常放送メッセージを音声合成により生成して放送する。
【００５３】
この非常放送設備２８において本発明にあっては、火災発生階及び直上階に対する非常放送中を検出して、放送中信号を防災受信機１に送る通信部２８ａが設けられている。
【００５４】
図５は図４の防災受信機１及び表示盤７の機能構成を示したブロック図である。図５において、防災受信機１が受信機用ＭＰＵに、伝送制御部１３、地区音響制御部１４、シリアル通信部１５、表示部１６、操作部１７を設けている点は図２の実施形態と同じであるが、図５の非常放送設備２８の通信部２８ａに対応して通信部３１を設けている。
【００５５】
通信部３１は受信機用ＭＰＵ１２に設けた監視制御部１９により、火災を判断した場合には火災発生階の情報を非常放送設備２８側に送信する。また非常放送設備２８で非常放送が行われている間、通信部３１は非常放送設備２８の通信部２８ａより放送中信号を受信して受信機用ＭＰＵ１２に与える。
【００５６】
受信機用ＭＰＵ１２に設けた表示盤管理部２０は基本的には図２の実施形態と同じであるが、図２の実施形態におけるマイク検出信号の代わりに通信部３１から得られる放送中信号に基づいて音響警報の起動情報、音響警報の停止情報及び音響警報の停止解除情報の表示盤７に対する伝送をシリアル通信部１５からの電文フォーマットにより行う。
【００５７】
即ち、監視制御部１９で火災が判断された場合、表示盤管理部２０は火災警報情報と音響警報の起動情報を含む電文フォーマットをシリアル通信部１５により表示盤７に送信する。その後、非常放送設備２８より放送中信号を受信すると音響警報停止情報を含む電文フォーマットを非常放送を行っている箇所に設置された表示盤７に送信する。さらに受信した放送中信号が受信されなくなると音響警報の停止解除情報を含む電文フォーマットを表示盤７に送信する。
【００５８】
表示盤７は表示盤用ＭＰＵ２１、表示部２２、音響警報装置２３、シリアル通信部２４、音響停止スイッチ２５を備え、更に表示盤用ＭＰＵ２１にはプログラム制御により実現される表示制御部２６と音響制御部２７を設けている。この表示盤７の機能構成及び処理動作は図２の実施形態と同じである。
【００５９】
即ち、防災受信機１で火災又はガス漏れが判断された時の電文フォーマットを解析して表示部２２に警報表示を行うと共に音響警報の出力を行う。続いて防災受信機１からの電文フォーマットより非常放送に伴って音響警報の停止情報が解読されると音響警報装置２３による音響出力を停止させる。その後、非常放送が終了して放送中信号がなくなるとその時受信される電文フォーマットから音響警報の停止解除情報を解読し、音響警報装置２３による音響出力再開させる。
【００６０】
図６は図４，図５における防災受信機１側の監視制御処理のフローチャートである。このフローチャートはステップＳ１〜Ｓ６の火災監視処理は図３の第１実施形態の場合と同じであるが、ステップＳ７〜Ｓ１１の表示盤に対する音響警報の制御処理がマイク検出信号ではなく非常放送設備２８からの放送中信号に基づいて行われている点が相違する。
【００６１】
即ち、ステップＳ６で表示盤７に火災情報を送信して火災警報表示と音響警報の出力を行わせた後、ステップＳ７で非常放送設備２８から非常放送中を示す放送中信号の入力オンを検出すると、ステップＳ８で表示盤７に音響停止情報を送信し、音響出力を停止させる。
【００６２】
音響出力を停止させた状態にあってはステップＳ９で非常放送設備２８の放送中信号がなくなる入力オフを判別すると、ステップＳ１０で表示盤７に対し音響停止の解除情報を送信して音響出力を再開させる。
【００６３】
なお、図１の非常放送設備８と図４の非常放送設備２８は同一の設備で兼用させても良く、一つの非常放送設備で第１実施形態のマイク検出による表示盤の音声停止制御及び第２実施形態の火災時の非常放送中における表示盤の音響停止制御を行うようにしても良い。
【００６４】
図７は本発明の第３実施形態による防災システムのシステム構成のブロック図である。図７の実施形態にあっては、警戒区域に複数の中継盤３４を分散配置しており、各中継盤３４より引き出された伝送路３５に伝送機能を備えた、例えばアナログ火災感知器３７や地区ベルと機能する地区音響装置３８を接続している。
【００６５】
また中継盤３４から引き出された伝送路３６に各階のフロアに設置した表示盤７を接続している。分散配置された複数の中継盤３４は受信盤３２からのループ伝送路３３に接続され、受信盤３２は各中継盤３４を集中監視している。受信盤３２に対しては、更に非常放送設備８が設けられている。
【００６６】
非常放送設備８は音声信号線９にスピーカ１０を接続しており、マイク１１をオンすることで非常放送を行うことができる。また非常放送設備２８は受信盤３２より火災情報として火災発生階の情報を受信すると、火災発生階及び直上階に対する非常放送を行う。
【００６７】
これに加え本発明にあっては、非常放送設備８にマイクのスイッチオンによるマイク検出信号を受信盤３２に検出するマイク検出部１１ａを設け、また非常放送中に放送中信号を受信盤３２に出力する通信部１１ｂを設けている。更に受信盤３２には非常放送設備８からのマイク検出信号及び非常放送中信号を、火災を検出している中継盤３４に通信するための移報通信部３２ａを設けている。
【００６８】
図８は図７の第３実施形態における中継盤３４と表示盤７の機能構成のブロック図である。図８において、中継盤３４は中継盤用ＭＰＵ３９、シリアル通信部４１及び伝送制御部４０，４２を備えている。伝送制御部４２には受信盤３２からのループ伝送路３３が接続され、受信盤３２との間でコマンド及び情報のやりとりを行う。
【００６９】
伝送制御部４０からは伝送路３５が引き出され、ここに図７のように伝送機能を備えたアナログ火災感知器３７や地区ベルとして機能する地区音響装置３８が接続される。シリアル通信部４１から引き出された伝送路３６には表示盤７が接続されている。
【００７０】
中継盤用ＭＰＵ３９にはプログラム制御により実現される監視制御部４３と表示盤管理部４４が設けられる。監視制御部４３は火災又はガス漏れを判断した際に、中継盤自身で警報表示を行わない点以外は図２の防災受信機１の監視制御部１９と同じである。
【００７１】
また表示盤管理部４４は、ループ伝送路３３を介して図７の受信盤３２からマイク検出信号及び放送中信号を受信して、表示盤７に対する音響警報の制御に必要な情報を表示盤７に送って制御処理を行わせる。この表示盤管理部４４は第１・第２実施形態と同様、非常放送設備８，２８の両方の機能を備えた防災受信機１の表示盤管理部２０と基本的に同じになる。
【００７２】
表示盤７は表示盤用ＭＰＵ２１、表示部２２、音響警報装置２３、シリアル通信部２４及び音響停止スイッチ２５を備えており、すでに説明した第１・第２実施形態と同じである。
【００７３】
図９は図７，図８の中継盤３４における火災監視処理のフローチャートである。図９において、ステップＳ１で中継盤３４が火災監視処理を行っており、ステップＳ２で火災発報を受信すると、ステップＳ３で火災発生アドレスの検索用に火災情報を収集して火災確定を行った後、ステップＳ４で受信盤３２に対し火災情報を送信し警報表示を行わせる。
【００７４】
またステップＳ５で中継盤自身に接続している地区音響装置３８により地区音響鳴動を行う。さらにステップＳ６で受信機自身に接続している表示盤７に対し火災情報を送信して、火災警報装置と音響警報の出力を行わせる。
【００７５】
続いてステップＳ７〜Ｓ１４の表示盤７における音響警報の制御については、ステップＳ６で表示盤７に火災情報を送信して音響警報を起動させた後に、ステップＳ７で非常放送設備８からのマイク検出信号によるマイク入力オンを判別しており、マイク入力オンを判別するとステップＳ９で表示盤７に音響停止情報を送信して音響出力を停止させる。
【００７６】
またステップＳ８で非常放送設備８からの放送中を示す入力オンをチェックしており、入力オンを判別するとステップＳ９で同様に表示盤７に対し音響停止情報を送信して音響出力を停止させる。ステップＳ９で表示盤７の音響停止を行った後には、ステップＳ１０で非常放送設備８からのマイク検出信号の入力オフと、ステップＳ１１で非常放送設備８からの放送中信号の入力オフをチェックしている。
【００７７】
そしてステップＳ１０で非常放送設備８からのマイク入力がオフとなり、且つステップＳ１１で非常放送設備２８からの放送中信号の入力オフになると、ステップＳ１２に進み、表示盤７に対し音響停止の解除情報を送信して音響出力を再開させる。
【００７８】
尚、上記の実施形態において、マイク入力オンの信号と非常放送中信号は、同じ伝送形態によって非常放送設備から受信盤に送っても良い。
【００７９】
また、非常放送設備による放送が、非常区域を選択して放送できるタイプであれば、その放送する区域に設けられた表示盤のみ音響停止制御させるようにしても良い。この場合には、受信盤１，３２や中継器３４に、放送区域と音響制御する表示盤との連動テーブルを記憶させ、連動テーブルを使用して表示盤の音響の出力を制御させる。
【００８０】
また、上記の実施形態は防災受信機１からの伝送路２に伝送機能及びアドレス設定した検知器を接続して、コマンド及び情報のやりとりにより火災、ガス漏れなどを監視する所謂Ｒ型の防災監視システムを例にとるものであったが、防災受信機１から引き出した感知器回線ごとにホーム型の火災感知器を接続し、回線単位で火災監視を行う所謂Ｐ型の防災受信機１についても副受信機としての表示盤を接続している場合には同様に適用できる。
【００８１】
更に図１０の中継盤を分散配置したシステム形態にあっては、マイク入力オン信号と非常放送中信号の両方を出力する非常放送設備８と非常放送設備２８の両方を設けているが、いずれか一方を設けた場合についても本発明をそのまま適用することができる。
【００８２】
【発明の効果】
以上説明してきたように本発明によれば、受信機に対し各階のフロアなどに設置した副受信機として機能する表示盤に、火災などの異常検知に基づき音響警報を出力している状態で、マイクを使用した非常放送或いは非常放送設備による火災発生階と直上階に対する非常放送が行われると、表示盤からの音響警報の出力が自動的に停止するため、非常放送を音響警報により妨げられることなく明瞭に聞き取ることができ、非常放送による状況通知や避難誘導などを確実に居住者に伝え、信頼性の高いシステムを構築することができる。
【図面の簡単な説明】
【図１】本発明の第１実施形態によるシステム構成のブロック図
【図２】図１の防災受信機と表示盤の機能構成のブロック図
【図３】図１及び図２の防災受信機による監視制御のフローチャート
【図４】本発明の第２実施形態によるシステム構成のブロック図
【図５】図４の防災受信機と表示盤の機能構成のブロック図
【図６】図４及び図５の防災受信機による監視制御のフローチャート
【図７】本発明の第４実施形態によるシステム構成のブロック図
【図８】図１０の中継盤と表示盤の機能構成のブロック図
【図９】図７及び図８の中継盤による監視制御のフローチャート
【符号の説明】
１：防災受信機
２，６，３５，３６：伝送路
３：検知器
４：制御線
５，３８：地区音響装置
７：表示盤
８：非常放送設備
９：音声信号線
１０：スピーカ
１１：マイク
１１ａ：マイク検出部
１２：受信機用ＭＰＵ
１３，４０，４２：伝送制御部
１４：地区音響制御部
１５，２４，４１：シリアル通信部
１６，２２：表示部
１７：操作部
１８：入力回路
１９，４３：監視制御部
２０，４４：表示盤管理部
２１：表示盤用ＭＰＵ
２３：音響警報装置
２５：音響停止スイッチ
２６：表示制御部
２７：音響制御部
２８：非常放送設備
２８ａ，３１：通信部
２９：音声信号線
３０：非常放送用スピーカ
３２：受信盤
３３：ループ伝送路
３４：中継盤
３７：アナログ火災感知器
３９：中継盤用ＭＰＵ
【図１】
2004310629.tif 000003
【図２】
2004310629.tif 000004
【図３】
2004310629.tif 000005
【図４】
2004310629.tif 000006
【図５】
2004310629.tif 000007
【図６】
2004310629.tif 000008
【図７】
2004310629.tif 000009
【図８】
2004310629.tif 000010
【図９】
2004310629.tif 000011